(57)【特許請求の範囲】
【請求項１】
携帯電話に適用可能なプラグ差込み式コネクタ（４８）のプラグ部分を含み、プラグ差込み式コネクタ（４８）のソケット部分（５０）に分離自在にラッチ接続し得るようにラッチ装置が関係する電気的な接点要素（１０）において、接点要素（１０）は、少なくとも１つのガイド部（１３、１４）に平行に延びるバイアス部（１５）を提供するように、扁平な薄肉金属シート（１２）がパンチ加工されて折り畳まれて成り、ラッチ装置は、ガイド部（１３、１４）の長手方向縁部（２１、２２）の領域の凹部（１７）と、ガイド部（１３、１４）を越えて延びる凹部（１７）の向かい側のバイアス部（１５）の突出部（３８）とを有し、バイアス部（１５）の突出部（３８）の領域は前記ガイド部（１３、１４）及び前記バイアス部（１５）の高さの方向に弾性的に移動可能であることを特徴とする接点要素。
【請求項２】
ガイド部（１３、１４）及びバイアス部（１５）の間は、ガイド部（１３、１４）の凹部（１７）とは反対の側にある長手方向縁部（３１）で折り畳みされることを特徴とする請求項１記載の接点要素。
【請求項３】
２つの平行に折り畳まれたガイド部（１３、１４）の間にはバイアス部（１５）が設けられることを特徴とする請求項１又は２記載の接点要素。
【請求項４】
２つの折り畳まれたガイド部（１３、１４）は、凹部（１７）を含む長手方向縁部（２１、２２）で折り畳まれて連結されることを特徴とする請求項３記載の接点要素。
【請求項５】
凹部（１７）は、２つのガイド部（１３、１４）の折り畳み領域ないし折り曲げ領域（１６）に配設されることを特徴とする請求項４記載の接点要素。
【請求項６】
バイアス部（１５）及びガイド部（１３）の折り畳み領域ないし折り曲げ領域（２８）とは反対の側にあるバイアス部（１５）の長手方向縁部は、ガイド部（１３、１４）の長手方向縁部の前で終端することを特徴とする請求項１〜５のいずれかに記載の接点要素。
【請求項７】
２つのガイド部（１３、１４）は、略同一の幅を有することを特徴とする請求項２〜６のいずれかに記載の接点要素。
【請求項８】
２つのガイド部（１３、１４）の長手方向縁部は、バイアス部（１５）の突出部（３８）の領域において、前方の非取付け端まで延びる同一の肩部（２４、２５）を具備することを特徴とする請求項２〜７のいずれかに記載の接点要素。
【請求項９】
バイアス部（１５）の突出部（３８）は、長手方向縁部（３２）の凸状のアーチによって画成されることを特徴とする請求項１〜８のいずれかに記載の接点要素。
【請求項１０】
バイアス部（１５）及びガイド部（１３）の間の折り畳み領域ないし折り曲げ領域（２８）は、突出部（３８）とは反対の端部領域に設けられることを特徴とする請求項１〜９のいずれかに記載の接点要素。
【請求項１１】
バイアス部（１５）は、長手方向縁部（３２）において後方に向かうアンダーカット部（２９）を具備することを特徴とする請求項１０記載の接点要素。
【請求項１２】
ガイド部（１３、１４）の長手方向縁部の少なくとも一方側と、折り曲げ領域（２８）に面するバイアス部（１５）の長手方向縁部とには、アンダーカット部が設けられることを特徴とする請求項１〜１１のいずれかに記載の接点要素。
【請求項１３】
バイアス部（１５）につながっているガイド部（１３）は、突出している歯部（３６）を具備することを特徴とする請求項１〜１２のいずれかに記載の接点要素。
【請求項１４】
ガイド部（１４、１３）の中の少なくとも一方の第２のガイド部（１４）の後面（３３）には、クリンプ突出部（４１）が一部品形式で設けられることを特徴とする請求項１〜１３のいずれかに記載の接点要素。
【請求項１５】
受け入れ部として１個以上の接点要素（５０）を有し、且つ、プラグ部として請求項１〜１４の少なくとも１項に係る１個以上の接点要素（１０）を有するプラグ差込み式コネクタにおいて、
接点要素（５０）は、剛性構造から成り、ラッチ用突出部（５４）を具備する接点面（５３）を有し、
接点面（５３）から所定間隔を空けて略平行に延びる受け入れ部には、扁平な対応面（５２）が設けられ、
バイアス部（１５）の接点用の突出部（３８）と、ガイド部（１３、１４）の反対側の長手方向縁部（２１、２２）との間におけるプラグ部としての接点要素（１０）の明確な幅は、接点面（５３）のラッチ用突出部（５４）と扁平な対応面（５２）との間の間隔よりも大きいことを特徴とするプラグ差込み式コネクタ。
【請求項１６】
受け入れ部の接点要素（５０）は、一部品形式でＵ形状を有することを特徴とする請求項１５記載のプラグ差込み式コネクタ。
【発明の詳細な説明】
【０００１】
【発明の属する技術分野】
本発明は、例えば、携帯電話のための請求項１の前文に係るプラグ差込み式コネクタのプラグ部用の電気的な接点要素に関し、また、請求項１５の前文に係るような種類の接点要素を具備したプラグ差込み式コネクタに関する。
【０００２】
【従来の技術】
上記種類の公知の電気的な接点要素は、一般的にストリップ形式に構成され、従って、それらの面は、相対的に広い接点エリアを持つ。プラグ部の電気的な接点要素か又はソケット部のそれのいずれかは、弾性接点が出来上がるように接点面の平面に垂直に形成される。従って、関連するキャッチ（捕まえ部）は通常無い。キャッチは、ラッチ装置のラッチ要素が電気的接点要素のためのサポートないしエンクロージャに一体的に型成形されるように、１個以上の接点要素に通常関係する。
【０００３】
【発明が解決しようとする課題】
本発明が取り組む課題は、上記種類の電気的な接点要素を提供することであり、また、それを具備するプラグ差込み式コネクタを提供することであり、いずれの場合においてもラッチ装置は電気的接点要素に直接一体化されており、接点要素自体が簡素に製造可能である。
【０００４】
【課題を解決するための手段】
この課題を解決するために、請求項１に記載された特徴は、上記種類の電気的接点要素のために提供され、請求項１５に記載された特徴は、上記種類のプラグ差込み式コネクタのために提供される。
【０００５】
電気的な接点要素は、金属シートからパンチ加工されたブランク（素材）を折り畳むことによって容易に製造され得る請求項１に係る手段によって提供される。ラッチ装置用の対応する要素は同時に提供ないし製造される。対応要素のためのラッチ用凹部と、対応片でのバイアス部の弾性的な追従特性とによって、ラッチ機能が提供される。対応する構造のパンチ加工工具及び折り畳み工具は別にして、この連結にあっては、更なる要求は不要であり、独立した構成要素すら不要である。
【０００６】
ソケット部の１個以上の接点要素の形式においては、上記種類の１個以上の電気的接点要素を具備したプラグ差込み式コネクタのための対応片が簡素化される。ソケット部の接点要素は、ラッチ用突出部と、プラグ部の接点要素のバイアス部のための対向する支持面と、を具備さえすればよい。これによって、ソケット部のこの接点要素の構造ないし製造が著しく単純化される。キャッチは取り外し自在であり、両方向における１つの押圧点を克服することのみが必要であるので、如何なる補助的な可動のロック要素の提供も必要でない。
【０００７】
バイアス部及びガイド部の折り畳みは、例えば、これらの部分の狭い側で行われる。しかしながら、請求項２の特徴に係る実施例によって与えられる好適な実施態様に従い、２つの部分の長手方向縁部で折り畳みが行われる。これによって、構造が簡素化され、この種類のパンチ加工工具が小型化される。
【０００８】
請求項３に係る特徴は、実施例によって与えられる本発明の別の好適な実施態様に従って提供される。これによって電気的接点要素が提供され、バイアス部は２つのガイド部の間で配置・保護され、ガイド部はソケット部の電気的接点要素から又はそれへのプラグ部の電気的接点要素のプラグ差込み及び引き抜きを簡単にするのに役立つ。
【０００９】
請求項４〜１１の１以上の特徴は、電気的接点要素の機能及び製造に関して別の有益的な展開を提供する。
【００１０】
請求項１２〜１４の１以上の特徴は、接続ワイヤの支持及び収納及び／又は型成形されるエンクロージャへの埋め込みに関して電気的接点要素の有益的な展開を提供する。
【００１１】
請求項１６〜１８の１以上の特徴は、プラグ部の電気的接点要素に対応するソケット部の電気的接点要素に関してプラグ差込み式コネクタの有益的な展開を提供する。
【００１２】
本発明の更なる詳細は、図面の例によって示される実施態様に関して本発明が詳細に説明される以下の記載から理解できるであろう。
【００１３】
【発明の実施の形態】
図１に示され、図２に係る電気接点要素１０の製造のためのブランク（素材）１１は、極めて薄い金属シートから総ての必要な輪郭がパンチ加工される。ワンピース（one-piece）のブランク１１は、第１ガイド部１３（この場合、中央に示される）を有し、その一方の長い側２１には、第２ガイド部１４が取付けられ、その他方の長い側３１には、バイアス部１５が接続される。第１折り曲げ領域１６は、２つのガイド部の間の実質上全長に亙って設けられる。また、第１折り曲げ領域１６は、前方領域にラッチ用凹部（例えば、アンダーカットされた部分又はアンダーカットされない部分）１７を具備する。ラッチ用凹部１７は、ガイド部１３及び１４の長手方向縁部領域に延出している。後方領域において、２つのガイド部１３及び１４は、概ね矩形の凹部（例えば、アンダーカットされた部分）１８を有する。凹部１８は、第１折り曲げ領域１６を横切ると共に、各々の長手方向縁部２１及び２２に垂直にガイド部１３及び１４に突出している。この凹部１８の向かい側において、第２ガイド部１４は、その長手方向縁部２３上にＵ形状の凹部を具備できるし、或いは、この例のように直線的に構成することもできる。ガイド部１３及び１４の前方領域は、前面２６及び２７が丸くされ、各々が同一の肩部２４、２５を具備する。
【００１４】
第２折り曲げ部２８は、第１ガイド部１３及びバイアス部１５の間に設けられる。第２折り曲げ部２８は、該２つの部分の後方領域に独占的に設けられる。第２折り曲げ領域２８には、別の凹部（例えば、アンダーカットされた部分）２９が設けられる。凹部２９は、第２折り曲げ領域２８を横切ると共に、近傍の第１ガイド部１３及びバイアス部１５の長手方向縁部領域３１及び３２に突出している。この別の凹部２９は、凹部１８と横方向に整合するように配設される。２つの長手方向縁部３１及び３２に突き進んでいるパンチアウト部３４は、ブランク１１の後面３３とは反対の側の第２折り曲げ領域２８の端部に隣接している。第１ガイド部１３の長手方向縁部３１残りの輪郭は、突出している保持歯３６を除いて、丸くされた前面２６及び２７に延びている第２ガイド部１４の長手方向縁部２３の輪郭に対応している。
【００１５】
バイアス部１５の長手方向縁部３２の輪郭は、丸くされた前面３９に至る凸状の突出部３８を有する湾曲ゾーン３７を有している。
【００１６】
２つのガイド部１３及び１４は、実質上同じ長さ及び幅を有する。バイアス部１５は、２つのガイド部１３及び１４と同じ長さを有するが、狭い（例えば、半分の幅である）。
【００１７】
また、ブランク１１は、第２ガイド部１４の端面３３から一部品状態で突出しているクリンプ突出部４１を有する。
【００１８】
図２に示される折畳まれた電気接点要素１０は、先ずブランク１１を第２折り曲げ領域２８の回りに実質上１８０度だけ横に折り曲げ、次いで、第１折り曲げ領域の回りに折り曲げることによって形成される。その結果、バイアス部１５の湾曲ゾーン３７の凸状突出部３８は、２つのガイド部１３及び１４の長手方向縁部３１及び２３の肩部２４、２５の輪郭を越えて突出する。バイアス部１５が相対的に狭いので、そして、バイアス部１５が相対的に短い第２折り曲げ領域２８を介して第１ガイド部１３に連結されているので、バイアス部１５の凸状突出部３８の領域は、部分１３、１４、１５の高さ（即ち、図１によれば、幅）の方向に弾性的に移動可能である。従って、ラッチ用凹部１７を有する長手方向縁部２１、２２（或いは、２つのガイド部１３及び１４の第１折り曲げ領域１６）と凸状突出部３８の頂点との間の間隔は、弾性的に変えることができる。このブランク１１の折り曲げにおいて、クリンプ突出部４１は、長手方向に開いたスリーブに形成される。
【００１９】
第１ガイド部１３の保持歯３６と凹部１８及び２９の双方は、プラスチック製エンクロージャ４５（図３及び４）に固定される電気接点要素１０を保持するのに役立つ。
【００２０】
図３、４、及び５は、（プラグ差込み式の接続（コネクタ）４８におけるプラグ部として機能する）電気接点要素１０と、（エンクロージャ４６に配置される、例えば、印刷基板５１に固定される）対応接点要素５０との間の解除自在な弾性的なラッチ式接続を示している。この電気的な対応接点要素５０は、（印刷基板５１の縁部を囲む）長手方向に延出された接点要素５３を有する。接点要素５３は、（プラグ差込み方向の前端である）その端部にラッチ用突出部５４を有する。扁平な対応面５２は、エンクロージャ４６の内側領域によって接点要素から離隔されて設けられる。図示しない形態において、電気的な対応接点要素５０は、ワンピースのＵ形状のブリッジのようなボードの形式の対応面５２及び接点要素５３の両方を含むことができる。電気的な対応接点要素５０の厚さは、電気的な接点要素１０の幅ｂ（図２）に対応する。電気的な対応接点要素５０の出入口５５における、扁平な接点面即ち対応面５２と接点要素５３のラッチ用突出部５４の頂点との間の明確な幅ｗは、図２によれば２つのガイド部１３及び１４の（長手方向縁部２１、２２或いは折り曲げ領域１６の）裏面とバイアス部１５凸状突出部３８の頂点との間の寸法ａよりも小さい。ラッチ用突出部５４は、２つのガイド部１３及び１４の間の第１折り曲げ領域１６のラッチ用凹部１７に係合するように機能する。
【００２１】
接点要素１０とソケットのような対応接点要素５０との間の弾性的な解除自在のラッチ式接続は、図４及び５に従って有効とされ、これにより、プラグ差込み動作は、寸法ａ及びｗの間の大きさの差異のために、バイアス部１５と２つのガイド部１３及び１４との間の相対的な動きを生じさせる。このことは、凸状突出部３８が第１扁平対応面即ち接点面５２に係合し、２つのガイド部１３及び１４の間の第１折り曲げ領域１６がラッチ用突出部５４に係合し、出入口を横切る方向即ち上記弾性のためにプラグ差込み方向を横切る方向の所定のテンションが生じる、ということを意味する。（図４から図５を介して図３の位置までの）所定のプラグ差込み移動の後において、接点要素１０のラッチ用凹部１７は、対応接点要素又はソケット式接点要素５０に定着し、２つのガイド部１３及び１４は、弾性付勢のために接点面５３に向かって動き、他方、バイアス部１５の凸状突出部３８は、ソケット式接点要素５０の扁平対応面即ち接点面５２に定着し続ける。引き抜きは、これらのステップを逆にすることによって実施される。
【００２２】
ソケット式接点要素５０は、印刷基板５１に永久的に半田付けされ、及び／又は、印刷基板の穿孔に係合するピンによって迅速且つ確実に保持される。ラッチ用突出部５４を備えた接点面５３は、湾曲バネ接点バンドを含むことができる。
【００２３】
接点要素１０及びソケットのような接点要素５０の構造は、図３に関連して、或いは横方向に即ち水平方向配置に関して、逆の関係を有するように設けることができる、ということが理解されるべきである。更に、ソケット部のための接点要素１０の折り畳み構造を設けることができ、また、プラグ部のための接点要素５０の構造を設けることができる。
【００２４】
プラグ部又はソケット部として本発明に従って電気的接点要素と共に説明したプラグ差込み式コネクタは、例えば、携帯電話用の充電器コネクタに好適である。本発明の範囲内において他の応用が可能である、ということが理解されるべきである。
【図面の簡単な説明】
【図１】図１は、本発明の一例として与えられた好適な実施態様に従って電気的な接点要素の製造のためのパンチ加工済みのブランクの図解的な平面図である。
【図２】図２は、図１に係るパンチ加工済みのブランクから製造される、好適な実施態様に係る電気的な接点要素の図解的な斜視図である。
【図３】図３は、図２に係る電気的な接点要素と共に差込み済みのプラグ差込み式コネクタの長手断面図である。
【図４】図４は、差込み動作中に形成される或る状態の、図３に対応する図である。
【図５】図５は、差込み動作中に形成される別の状態の、図３に対応する図である。
【図１】
0004199547.tif 000002
【図２】
0004199547.tif 000003
【図３】
0004199547.tif 000004
【図４】
0004199547.tif 000005
【図５】
0004199547.tif 000006